【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
電話機能とカメラ撮影機能とを有するカメラ付き携帯電話装置であって、
撮像手段と、
監視モードを設定するモード設定手段と、
このモード設定手段により監視モードが設定されていない状態で、前記撮像手段によりシャッタボタンの操作に応じた撮影を行う通常撮影手段と、
前記モード設定手段により監視モードが設定されている状態で、前記撮像手段によりシャッタボタンの操作以外の条件に応じて撮影を行う監視撮影手段と、
この監視撮影手段により撮影された画像データを送信する監視画像送信手段と、
を備えたことを特徴とするカメラ付き携帯電話装置。
【請求項２】
前記モード設定手段により監視モードが設定されていない状態では、利用者が当該装置に備えられたマイク、スピーカ、操作ボタンを利用して前記電話機能、カメラ撮影機能を利用することを前提とした制御を行う通常制御手段と、
前記モード設定手段により監視モードが設定されている状態では、利用者が当該装置に備えられたマイク、スピーカ、操作ボタンを利用せずに前記電話機能、カメラ撮影機能を利用することを前提とした制御を行う監視制御手段と、
を備えたことを特徴とする請求項１に記載のカメラ付き携帯電話装置。
【請求項３】
前記モード設定手段により監視モードが設定されている状態では、他の通信端末からの着信があった場合でも、着信音を鳴らさないように制御することを特徴とする請求項２に記載のカメラ付き携帯電話装置。
【請求項４】
前記監視撮影手段は、前記モード設定手段により監視モードが設定されている状態で、予め指定された通信端末からの着信に応じて前記撮像手段により撮影を行い、
前記監視画像送信手段は、前記監視撮影手段により撮影された画像データを前記着信のあった通信端末へ送信する、
ことを特徴とする請求項１ないし請求項３の何れか１項に記載のカメラ付き携帯電話装置。
【請求項５】
前記予め指定された通信端末は、予め指定された電話番号の通信端末であることを特徴とする請求項４に記載のカメラ付き携帯電話装置。
【請求項６】
前記予め指定された通信端末は、予め指定されたメールアドレスの通信端末であることを特徴とする請求項４に記載のカメラ付き携帯電話装置。
【請求項７】
他の通信端末との電話接続中において、動画像と共に音声の送受信を行うテレビ電話機能を更に備え、
前記監視撮影手段は、前記撮像手段によりリアルタイムで動画の撮影を行い、
前記監視画像送信手段は、前記予め指定された電話番号の通信端末からの着信があった場合には、前記テレビ電話機能を利用して前記リアルタイムで撮影された動画像データを送信する、
ことを特徴とする請求項５に記載のカメラ付き携帯電話装置。
【請求項８】
さらに、
充電用スタンドとの接続機能を有し、
前記モード設定手段により監視モードが設定され且つ前記充電用スタンドと接続された状態で、周囲の環境状態を検出する状態検出手段と、
この状態検出手段により検出される周囲の環境状態が予め設定された通報条件になったか否か判断する条件判断手段と、
この条件判断手段により前記状態検出手段により検出される周囲の環境状態が予め設定された通報条件になったと判断された場合に予め指定された通信端末と接続する指定端末接続手段とを備え、
前記監視撮影手段は、前記モード設定手段により監視モードが設定され且つ前記充電用スタンドと接続された状態で、前記指定端末接続手段による予め指定された通信端末との接続に応じて前記撮像手段により撮影を行い、
前記監視画像送信手段は、前記監視撮影手段により撮影された画像データを前記指定端末接続手段により接続された通信端末へ送信する、
ことを特徴とする請求項１ないし請求項３の何れか１項に記載のカメラ付き携帯電話装置。
【請求項９】
前記状態検出手段は、前記モード設定手段により監視モードが設定され且つ前記充電用スタンドと接続された状態で、当該充電用スタンドに内蔵された各種センサからの検出データに基づき周囲の環境状態を検出することを特徴とする請求項８に記載のカメラ付き携帯電話装置。
【請求項１０】
前記状態検出手段は、前記モード設定手段により監視モードが設定され且つ前記充電用スタンドと接続された状態で、装置本体に内蔵された各種センサからの検出データに基づき周囲の環境状態を検出することを特徴とする請求項８に記載のカメラ付き携帯電話装置。
【請求項１１】
前記予め指定された通信端末は、予め指定された電話番号の通信端末であることを特徴とする請求項８ないし請求項１０の何れか１項に記載のカメラ付き携帯電話装置。
【請求項１２】
他の通信端末との電話接続中において、動画像と共に音声の送受信を行うテレビ電話機能を更に備え、
前記監視撮影手段は、前記撮像手段によりリアルタイムで動画の撮影を行い、
前記監視画像送信手段は、前記予め指定された電話番号の通信端末からの着信があった場合には、前記テレビ電話機能を利用して前記リアルタイムで撮影された動画像データを送信する、
ことを特徴とする請求項１１に記載のカメラ付き携帯電話装置。
【請求項１３】
さらに、
前記充電用スタンドは、接続されたカメラ付き携帯電話装置の回転機能を有し、
前記指定端末接続手段により接続された通信端末からの撮影方向回転指示の有無を判断する回転指示判断手段と、
この回転指示判断手段により撮影方向の回転指示が有ると判断された場合に、その回転制御信号を前記充電用スタンドへ出力する回転制御出力手段と、
を備えたことを特徴とする請求項１２に記載のカメラ付き携帯電話装置。
【請求項１４】
さらに、
前記指定端末接続手段により予め指定された電話番号の通信端末との接続ができなかった場合には、前記撮像手段により撮影した画像データを予め指定されたメールアドレスの通信端末へ送信する電話接続不能時の監視画像送信手段を備えたことを特徴とする請求項１２または請求項１３に記載のカメラ付き携帯電話装置。
【請求項１５】
カメラ付き携帯電話装置を装着して充電する機能を有するカメラ付き携帯電話装置のスタンドであって、
前記カメラ付き携帯電話装置との通信接続手段と、
前記カメラ付き携帯電話装置が装着されたスタンド部分を回転させる回転駆動手段と、
前記カメラ付き携帯電話装置から前記通信接続手段により受信された撮影方向の回転制御信号に応じて前記回転駆動手段によるスタンド部分の回転を制御する回転制御手段と、
を備えたことを特徴とするカメラ付き携帯電話装置のスタンド。
【請求項１６】
さらに、
周囲の環境状態を検出する複数種類のセンサと、
この複数種類のセンサにより検出されるデータを前記通信接続手段により前記カメラ付き携帯電話装置へ送信させるセンサデータ送信制御手段と、
を備えたことを特徴とする請求項１５に記載のカメラ付き携帯電話装置のスタンド。
【請求項１７】
電話機能とカメラ撮影機能とを有するカメラ付き携帯電話装置のコンピュータを制御するためのプログラムであって、
前記コンピュータを、
監視モードを設定するモード設定手段、
このモード設定手段により監視モードが設定されていない状態で、前記カメラ撮影機能によりシャッタボタンの操作に応じた撮影を行う通常撮影手段、
前記モード設定手段により監視モードが設定されている状態で、前記カメラ撮影機能によりシャッタボタンの操作以外の条件に応じて撮影を行う監視撮影手段、
この監視撮影手段により撮影された画像データを送信する監視画像送信手段、
として機能させるようにしたカメラ付き携帯電話装置の制御プログラム。
【請求項１８】
他の通信端末からの着信があった際に、監視モードが設定されているか否かを判断する判断手段を備え、
前記監視撮影手段は、前記判断手段による判断結果に応じて着信時の動作を選択することを特徴とする請求項１に記載のカメラ付き携帯電話装置。
【請求項１９】
他の通信端末からの着信があった際に、電話の着信か電子メールの着信かを判断する判断手段を備え、
前記監視撮影手段は、前記判断手段により電話の着信であると判断された場合には第１の撮影動作を行い、前記判断手段により電子メールの着信であると判断された場合には第１の撮影動作とは異なる第２の撮影動作を行い、
前記監視画像送信手段は、前記判断手段により電話の着信であると判断された場合には前記監視撮影手段により撮影された画像データを電話機能を用いて送信し、前記判断手段により電子メールの着信であると判断された場合には前記監視撮影手段により撮影された画像データを電子メール機能を用いて送信することを特徴とする請求項１に記載のカメラ付き携帯電話装置。
【請求項２０】
前記監視撮影手段は、前記判断手段により電話の着信であると判断された場合には動画の撮影を行い、前記判断手段により電子メールの着信であると判断された場合には静止画の撮影を行うことを特徴とする請求項１９に記載のカメラ付き携帯電話装置。
【請求項２１】
前記監視画像送信手段は、前記判断手段により電話の着信であると判断された場合には、該着信により開始された電話接続が切断されるまでのあいだ、該電話接続を利用して前記監視撮影手段により逐次撮影される画像データを送信し、前記判断手段により電子メールの着信であると判断された場合には、該着信による電子メールの受信後に、前記監視撮影手段により撮影された画像データを電子メールにより送信することを特徴とする請求項１９に記載のカメラ付き携帯電話装置。
【請求項２２】
前記監視画像送信手段は、前記判断手段により電話の着信であると判断された場合には前記監視撮影手段により逐次撮影される動画データを電話機能を用いてリアルタイムに送信し、前記判断手段により電子メールの着信であると判断された場合には前記監視撮影手段により撮影された静止画データを電子メール機能を用いて非リアルタイムに送信することを特徴とする請求項２０に記載のカメラ付き携帯電話装置。
【請求項２３】
前記監視撮影手段は、外部電源が供給されていることを条件として他の通信端末からの着信が無い状態で撮影動作を継続して実行し、
前記監視画像送信手段は、他の通信端末からの着信があったときに、前記監視撮影手段により撮影されていた画像データを送信することを特徴とする請求項１に記載のカメラ付き携帯電話装置。
【手続補正２】
【補正対象書類名】明細書
【補正対象項目名】００４０
【補正方法】変更
【補正の内容】
【００４０】
これによれば、本スタンドに内蔵した各種センサからの検出データに基づいて、装着中のカメラ付き携帯電話装置の側で周囲の環境状態を判断できることになる。
本発明の請求項１８に記載のカメラ付き携帯電話装置は、前記請求項１に記載のカメラ付き携帯電話装置にあって、さらに、他の通信端末からの着信があった際に、監視モードが設定されているか否かを判断する判断手段を備え、前記監視撮影手段は、前記判断手段による判断結果に応じて着信時の動作を選択することを特徴とする。
本発明の請求項１９に記載のカメラ付き携帯電話装置は、前記請求項１に記載のカメラ付き携帯電話装置にあって、さらに、他の通信端末からの着信があった際に、電話の着信か電子メールの着信かを判断する判断手段を備え、前記監視撮影手段は、前記判断手段により電話の着信であると判断された場合には第１の撮影動作を行い、前記判断手段により電子メールの着信であると判断された場合には第１の撮影動作とは異なる第２の撮影動作を行い、前記監視画像送信手段は、前記判断手段により電話の着信であると判断された場合には前記監視撮影手段により撮影された画像データを電話機能を用いて送信し、前記判断手段により電子メールの着信であると判断された場合には前記監視撮影手段により撮影された画像データを電子メール機能を用いて送信することを特徴とする。
本発明の請求項２０に記載のカメラ付き携帯電話装置は、前記請求項１９に記載のカメラ付き携帯電話装置にあって、さらに、前記監視撮影手段は、前記判断手段により電話の着信であると判断された場合には動画の撮影を行い、前記判断手段により電子メールの着信であると判断された場合には静止画の撮影を行うことを特徴とする。
本発明の請求項２１に記載のカメラ付き携帯電話装置は、前記請求項１９に記載のカメラ付き携帯電話装置にあって、さらに、前記監視画像送信手段は、前記判断手段により電話の着信であると判断された場合には、該着信により開始された電話接続が切断されるまでのあいだ、該電話接続を利用して前記監視撮影手段により逐次撮影される画像データを送信し、前記判断手段により電子メールの着信であると判断された場合には、該着信による電子メールの受信後に、前記監視撮影手段により撮影された画像データを電子メールにより送信することを特徴とする。
本発明の請求項２２に記載のカメラ付き携帯電話装置は、前記請求項２０に記載のカメラ付き携帯電話装置にあって、さらに、前記監視画像送信手段は、前記判断手段により電話の着信であると判断された場合には前記監視撮影手段により逐次撮影される動画データを電話機能を用いてリアルタイムに送信し、前記判断手段により電子メールの着信であると判断された場合には前記監視撮影手段により撮影された静止画データを電子メール機能を用いて非リアルタイムに送信することを特徴とする。
本発明の請求項２３に記載のカメラ付き携帯電話装置は、前記請求項１に記載のカメラ付き携帯電話装置にあって、さらに、前記監視撮影手段は、外部電源が供給されていることを条件として他の通信端末からの着信が無い状態で撮影動作を継続して実行し、前記監視画像送信手段は、他の通信端末からの着信があったときに、前記監視撮影手段により撮影されていた画像データを送信することを特徴とする。